(57)【要約】【課題】スピーカー等の発音体からの音波を外部へ放出するためのホーン穴をホールランタン本体の裏面側に設け、ホールランタンを取り付ける壁表面との間に音波を外部へ放出できる空間を形成するようにしたエレベータのホールランタンを得る。【解決手段】背面が開口され、箱状に形成された透光性を有する照光体１と、照光体内に設けられ、外部からの点灯信号を受けて点灯される発光体２と、照光体の背面開口部を閉塞するように設けられた裏板３と、裏板に取り付けられ、発光体と裏板との間に形成される空間内に配置される発音体４と、裏板の発音体の取り付け位置に設けられ、発音体から発せられる音波を外部に放出するホーン穴５と、裏板を取付壁７から一定の距離を保持して取り付ける取付手段６、８と備える。【選択図】図２
2008201489.tif 000002
【特許請求の範囲】
【請求項１】
背面が開口され、箱状に形成された透光性を有する照光体と、
前記照光体内に設けられ、外部からの点灯信号を受けて点灯される発光体と、
前記照光体の背面開口部を閉塞するように設けられた裏板と、
前記裏板に取り付けられ、前記発光体と前記裏板との間に形成される空間内に配置される発音体と、
前記裏板の発音体の取り付け位置に設けられ、前記発音体から発せられる音波を外部に放出するホーン穴と、
前記裏板を取付壁から一定の距離を保持して取り付ける取付手段と、
備えたことを特徴とするエレベータのホールランタン。
【請求項２】
取付手段は、裏板と取付壁との間に複数設けられた中空筒状のスペーサを備えたことを特徴とする請求項１記載のエレベータのホールランタン。
【請求項３】
背面が開口され、箱状に形成された透光性を有する照光体と、
前記照光体内に設けられ、外部からの点灯信号を受けて点灯される発光体と、
前記照光体の背面開口部を閉塞するように設けられ、下方に行くに従って箱状の照光体内に入るように傾斜して配置された裏板と、
前記裏板に取り付けられ、前記発光体と前記裏板の傾斜面との間に形成される空間内に配置される発音体と、
前記裏板の発音体の取り付け位置に設けられ、前記発音体から発せられる音波を外部に放出するホーン穴と、
前記裏板を下方に行くに従って取付壁から離れるように取り付ける取付手段と、
備えたことを特徴とするエレベータのホールランタン。
【請求項４】
取付手段は、裏板の上部と取付壁との間を直接取り付ける取付ネジと、裏板の下部と取付壁との間に設けられた中空筒状のスペーサとを備えたことを特徴とする請求項３記載のエレベータのホールランタン。
【請求項５】
中空筒状のスペーサの中空部は、外部信号を発光体及び発音体に伝えるケーブルが挿通することを特徴とする請求項２又は請求項４記載のエレベータのホールランタン。
【発明の詳細な説明】
【技術分野】
【０００１】
この発明は、エレベータホールの壁面に設置され、スピーカー等の発音体を内蔵したエレベータのホールランタンに関するものである。
【背景技術】
【０００２】
通常、エレベータにおいては、乗場の待客に対してエレベータの到着を知らせたり、乗場呼びに対して応答する号機を知らせるために、ホールランタンを乗場に設置している。このホールランタンの設置と合わせて、電子音で乗場待客にエレベータの到着や乗場呼び登録に対して応ずる号機を知らせるため、電子音チャイム等が設置される。また、近年はユニバーサルデザイン化の理由から、乗場に音声ガイダンス装置を設置して階床アナウンスやドア動作状況などを音声で報知することが増えてきている。これらの機器を設置する場合に問題となるのが、スピーカー等の発音体の設置場所をどうするかである。音声が明瞭に聞こえて、かつ鳴っているエレベータがどれなのか判別し易い場所としては、各エレベータのホールランタンの近傍又は乗場出入口の上部辺りにホーン穴を設けたボックスにスピーカーを入れて設置することである。この場合、スピーカーをいずれかの場所に設置すると、ホーン穴をその場所に空けることが必要となる。しかし、この場合、ホーン穴を空けるとなると意匠性が損なわれることから、実際には昇降路側の乗場ハンガーケース上部などにスピーカーを設置している場合や、ホーン穴を十分空けていない場合が多く、音が聞こえにくかったり、どのエレベータで鳴っているかを判別しにくいなどの問題があった。
【０００３】
従来、ホールランタンの発光体としては、白熱電球が主に使用されていたが、近年ＬＥＤ素子を発光体として、従来必要であった発光体を収納するための壁埋め込み型のボックスを廃止して、壁に直接取り付ける構造のホールランタンが提案されている（例えば、特許文献１参照）。また、このような構造のホールランタンで、スピーカーを内蔵したものも提案されている（例えば、特許文献２参照）。
【０００４】
【特許文献１】特開２００３−２５２５３９号公報
【特許文献２】特開２００５−２６３４３０号公報
【発明の開示】
【発明が解決しようとする課題】
【０００５】
従来の構造のホールランタンでは、音を出すためのスピーカーのホーン穴は器具のフェースプレート側にある構造を前提にしているため、意匠性の問題は依然として避けられない問題となる。
【０００６】
この発明は、上述のような課題を解決するためになされたもので、スピーカー等の発音体を内蔵したエレベータのホールランタンにおいて、スピーカー等の発音体からの音波を外部へ放出するためのホーン穴をホールランタン本体の裏面側に設けるとともに、ホールランタンを取り付ける壁表面との間に音波を外部へ放出できる空間を形成するようにしたエレベータのホールランタンを提供するものである。
【課題を解決するための手段】
【０００７】
この発明に係るエレベータのホールランタンにおいては、背面が開口され、箱状に形成された透光性を有する照光体と、照光体内に設けられ、外部からの点灯信号を受けて点灯される発光体と、照光体の背面開口部を閉塞するように設けられた裏板と、裏板に取り付けられ、発光体と裏板との間に形成される空間内に配置される発音体と、裏板の発音体の取り付け位置に設けられ、発音体から発せられる音波を外部に放出するホーン穴と、裏板を取付壁から一定の距離を保持して取り付ける取付手段と備えたものである。
【０００８】
また、この発明に係るエレベータのホールランタンにおいては、背面が開口され、箱状に形成された透光性を有する照光体と、照光体内に設けられ、外部からの点灯信号を受けて点灯される発光体と、照光体の背面開口部を閉塞するように設けられ、下方に行くに従って箱状の照光体内に入るように傾斜して配置された裏板と、裏板に取り付けられ、発光体と裏板の傾斜面との間に形成される空間内に配置される発音体と、裏板の発音体の取り付け位置に設けられ、発音体から発せられる音波を外部に放出するホーン穴と、裏板を下方に行くに従って取付壁から離れるように取り付ける取付手段と備えたものである。
【発明の効果】
【０００９】
この発明によれば、ホールランタンの裏面とホールランタン取付壁との間に空間ができるので、スピーカー等の発音体から裏板に空けられたホーン穴を通って発せられる音波を上記空間に放出することが可能になるとともに、ホーン穴はエレベータ利用者から見えないため、外観意匠性を損なうことがないという効果がある。また、裏板を下方に行くに従って取付壁から離れるように傾斜して配置すれば、ホールランタンの上部から万一、水等が落ちてくるような場合においても、ホーン穴に水が浸入し、スピーカー等の発音体を濡らしてしまう問題を無くすことができる。
【発明を実施するための最良の形態】
【００１０】
実施の形態１．
以下、この発明の実施の形態１を、図面に従って説明する。
図１はこの発明の実施の形態１におけるエレベータのホールランタンを示す正面図、図２は図１のＡ−Ａ線に沿った断面図、図３は図１のＢ−Ｂ線に沿った断面図である。
【００１１】
図において、１は透光性を有するアクリル樹脂などで背面が開口された箱状に形成された照光体で、背面開口部より内側の周縁部に取付段部が形成されている。２は多数のＬＥＤ素子を基板に取り付けて構成した平板状の発光体で、上記照光体１の背面開口部側から照光体１内に挿入され、その周縁部が照光体１の取付段部上に取り付けられている。この発光体２は外部からの点灯信号を受けて点灯する。３は照光体１の背面開口部を閉塞するように設けられた蓋状の裏板で、発光体２を照光体１の取付段部に固定している。４は裏板３の中央部に取り付けられたスピーカー等からなる発音体で、上記発光体２と裏板３との間に形成される空間内に配置されている。この発音体４は外部からの音声信号を受けて発音する。５は裏板３に取り付けられた発音体４から発せられる音波をホールランタン外部へ出すために裏板３に空けられたホーン穴、６は裏板３とホールランタン取付壁７との間に複数設けられた中空円筒状のスペーサで、ホールランタンの裏面を取付壁７から一定の距離を保持して取り付けられるようにしている。８は中空円筒状のスペーサ６に通されてホールランタンを取付壁７に取り付け固定する取付ネジ、９はエレベータ昇降路側から発光体２を点灯するための点灯信号やスピーカー等の発音体４を鳴らすための音声信号を伝送するケーブルで、取付壁７に空けた配線用穴１０及び中空円筒状のスペーサ６の中空部を挿通して、ホールランタン内部の発光体２とスピーカー等の発音体４に接続している。
【００１２】
以上のような構造を採用したことにより、ホールランタンの裏面の裏板３とホールランタン取付壁７との間に空間ができるので、スピーカー等の発音体４から裏板３に空けられたホーン穴５を通って発せられる音波を上記空間に放出することが可能になるとともに、ホーン穴５はエレベータ利用者から見えないため、外観意匠性を損なうことがない。また、この時、ホールランタンを取付壁７から一定の距離を保持して設置するための構造として、中空円筒状のスペーサを用いたが、ボルトやナットを使用したり、板金や構造物などをホールランタンと取付壁の間に設けるなどの手段であっても良いことは勿論である。
【００１３】
実施例２．
図４はこの発明の実施の形態２におけるエレベータのホールランタンを示す縦断面図である。
上記実施の形態１では、ホールランタン全体が中空円筒状のスペーサ６で取付壁７から離れて浮いたような状態で取り付けられているが、ホールランタンの一部が取付壁７に接触していても、裏面側のホーン穴５からの音波を空間へ放出できるだけの空間をホールランタンと取付壁７の間に設けられていれば良い。例えば、図４に示すように、ホールランタンの裏面側が傾斜した状態になるようにしても良い。
すなわち、図４では、ホールランタンの裏板は、上端部を取付ネジ８により取付壁７に直接接触して隙間なく固定されており、下方に行くに従って箱状の照光体１内に入るように傾斜して配置され、下端部で中空円筒状のスペーサ６により取付壁７から一定の距離を保持して固定されている。これにより、ホールランタンの裏面側の空間は、下部に行くに従ってより開口したような空間となる。
【００１４】
以上のような構造とすることにより、ホールランタンの上部から万一、水等が落ちてくるような場合においても、ホーン穴５に水が浸入し、スピーカー等の発音体４を濡らしてしまう問題を無くすことができる。
【図面の簡単な説明】
【００１５】
【図１】この発明の実施の形態１におけるエレベータのホールランタンを示す正面図である。
【図２】図１のＡ−Ａ線に沿った断面図である。
【図３】図１のＢ−Ｂ線に沿った断面図である。
【図４】この発明の実施の形態２におけるエレベータのホールランタンを示す縦断面図である。
【符号の説明】
【００１６】
１  照光体
２  発光体
３  裏板
４  発音体（スピーカー）
５  ホーン穴
６  スペーサ
７  ホールランタン取付壁
８  取付ネジ
９  ケーブル
１０  配線用穴
【図１】
2008201489.tif 000003
【図２】
2008201489.tif 000004
【図３】
2008201489.tif 000005
【図４】
2008201489.tif 000006